(57)【要約】【課題】受信端のシステム資源と電力を節約するため、ｐ−ｔ−ｍ  ＭＢＭＳサービス情報を取得する方法及び装置を提供する。【解決手段】方法は、受信端がＭＣＣＨ情報取得プロセスを実行する前に、該受信端でのｐ−ｔ−ｍ  ＭＢＭＳ起動状態を判断し、受信端においてｐ−ｔ−ｍ  ＭＢＭＳが少なくとも１つ起動されていると確認した場合に、受信端で情報取得プロセスを実行するステップからなる。【選択図】図３
2007251945.tif 000002
【特許請求の範囲】
【請求項１】
無線通信システムの受信端においてポイント・ツー・マルチポイント（ｐ−ｔ−ｍ）ＭＢＭＳ（マルチメディアブロードキャスト・マルチキャストサービス）サービス情報を取得する方法であって、
上記受信端がＭＣＣＨ（ＭＢＭＳ制御チャンネル）情報取得プロセスを実行する前に、該受信端でのｐ−ｔ−ｍ  ＭＢＭＳ起動状態を判断し、
受信端においてｐ−ｔ−ｍ  ＭＢＭＳが少なくとも１つ起動されていると確認した場合に、受信端で情報取得プロセスを実行するステップからなることを特徴とするＭＢＭＳサービス情報の取得方法。
【請求項２】
前記受信端においてｐ−ｔ−ｍ  ＭＢＭＳに対応する情報は変数MBMS_ACTIVATED_SERVICESに含まれることを特徴とする請求項１記載のＭＢＭＳサービス情報の取得方法。
【請求項３】
前記ｐ−ｔ−ｍ  ＭＢＭＳの起動は、受信端においてＭＢＭＳブロードキャスト／マルチキャストサービス起動プロセスを実行することを内容とすることを特徴とする請求項１記載のＭＢＭＳサービス情報の取得方法。
【請求項４】
前記無線通信システムは第三世代無線通信システムであることを特徴とする請求項１記載のＭＢＭＳサービス情報の取得方法。
【請求項５】
ｐ−ｔ−ｍ  ＭＢＭＳサービス情報を適時に取得する、無線通信システムに用いられる受信装置であって、
受信装置の機能を実現させる制御回路と、
制御回路の中に設けられ、プログラムコードを実行して制御回路を制御する中央処理装置（ＣＰＵ）と、
ＣＰＵに結合され、プログラムコードを保存するための保存メモリーとを含み、そのうちプログラムコードは、
受信端がＭＣＣＨ情報取得プロセスを実行する前に、該受信端でのｐ−ｔ−ｍ  ＭＢＭＳ起動状態を判断し、
受信端においてｐ−ｔ−ｍ  ＭＢＭＳが少なくとも１つ起動されていると確認した場合に、受信端で情報取得プロセスを実行するステップを含むことを特徴とする受信装置。
【請求項６】
前記受信端においてｐ−ｔ−ｍ  ＭＢＭＳに対応する情報は変数MBMS_ACTIVATED_SERVICESに含まれることを特徴とする請求項５記載の受信装置。
【請求項７】
前記ｐ−ｔ−ｍ  ＭＢＭＳの起動は、受信端においてＭＢＭＳブロードキャスト／マルチキャストサービス起動プロセスを実行することを内容とすることを特徴とする請求項５記載の受信装置。
【請求項８】
前記無線通信システムは第三世代無線通信システムであることを特徴とする請求項５記載の受信装置。
【発明の詳細な説明】
【技術分野】
【０００１】
この発明はポイント・ツー・マルチポイント（ｐ−ｔ―ｍ）ＭＢＭＳ（マルチメディアブロードキャスト・マルチキャストサービス）サービス情報を取得する方法及び装置に関し、特に受信端のシステム資源と電力を節約するｐ−ｔ−ｍ  ＭＢＭＳを取得する方法及び装置に関する。
【背景技術】
【０００２】
第三世代移動通信技術はＷＣＤＭＡ（広帯域符号分割多元接続）を利用し、高いスペクトル利用効率、カバー率、通話品質及び高速伝送を実現させるとともに、ＱｏＳ（サービス品質）の確保、柔軟性のある双方向通信の実現、通話中断率の低減を可能にする。第三世代移動通信システムのマルチメディア機能を向上させるため、３ＧＰＰ（第三世代パートナーシッププロジェクト）は、ＭＢＭＳ（マルチメディアブロードキャスト・マルチキャストサービス）を内容とする通信プロトコルを制定している。ＭＢＭＳは、既存のＵＭＴＳ（ユニバーサル移動通信システム）ネットワーク構造で行われるｐ−ｔ−ｍデータ伝送サービスであり、ＩＰ（インターネットプロトコル）パケットを媒介として、一つのデータソースから複数のユーザーに対して同一のサービスを配信することを内容とする。
【０００３】
ＭＢＭＳの動作方法について、詳しくは３ＧＰＰの関連規格を参照するが、以下に略述する。まず、ＵＭＴＳを例にすれば、第三世代移動通信システムはユーザー装置（ＵＥ）、ＵＴＲＡＮ（ＵＭＴＳ地上無線アクセスネットワーク）、及びＣＮ（コアネットワーク）からなり、所用の通信プロトコルはＡＳ（アクセスストラダム）とＮＡＳ（非アクセスストラダム）に分けられる。そのうちＡＳは、ＲＲＣ（無線資源制御）、ＲＬＣ（無線リンク制御）、ＭＡＣ（媒体アクセス制御）、ＰＤＣＰ（パケットデータ収斂プロトコル）、ＢＭＣ（ブロードキャスト／マルチキャスト制御）など各々機能が異なるレイヤーを含む。これらレイヤーの動作はいずれも当業者に周知されているため、ここで説明を省略とする。上記コアネットワークでＭＢＭＳサービスを担当するのはＢＭ−ＳＣ（ブロードキャスト・マルチキャストサービスセンター）である。ＢＭ−ＳＣは、外部ソース（例えばコンテンツプロバイダー）からデータを受信するゲートとされる新設のネットワークノードであり、サービスの提供、発送、公表、認証、及び保存に関するパラメーターを生成し、これをＧＧＳＮ（ゲートウェイＧＰＲＳサポートノード）に送信して処理させる。ＭＢＭＳシステム構造において、ＧＧＳＮは複数のＳＧＳＮ（サービングＧＰＲＳサポートノード）に対応し、ＩＰマルチキャストトラフィックの起点として働き、ＧＴＰ（ＧＰＲＳトンネル）を介してＭＢＭＳデータをＳＧＳＮに転送する。ＳＧＳＮは複数のＲＮＣ（無線ネットワークコントローラー）に対応し、ＭＢＭＳベアラーサービスの制御を行ってパケットをユーザー側のＵＴＲＡＮに正確に送信し、サービスに加入している複数のユーザーに対して同じソースからデータを配信する。ＲＮＣは複数の基地局に対応し、ユーザーの数量に応じて基地局（ノードＢ）を介して無線資源をユーザーに配分する。そして基地局は、受信した無線データをユーザー端に発送する。
【０００４】
３ＧＰＰが制定した通信プロトコル規格によれば、ＭＢＭＳはブロードキャストモードとマルチキャストモードの両方ともサポートする。ＭＢＭＳサービスを利用しようとすれば、ユーザーはＢＭ−ＳＣに対して加入を申し込み、サービス利用規約を締結しなければならない。サービスモードによってサービス提供フェーズ（service  provision  phase）が異なる。例えば、ブロードキャストモードに属するのは、service  announcement（サービス公表）、session  start（セッション開始）、MBMS  notification（ＭＢＭＳ通告）、data  transfer（データ転送）、session  stop（セッション終了）などであり、マルチキャストモードに属するのは、subscription（申込）、service  announcement（サービス公表）、joining（加入）、session  start（セッション開始）、MBMS  notification（ＭＢＭＳ通告）、data  transfer（データ転送）、session  stop（セッション終了）、leaving（脱退）などである。ブロードキャストモードと比べ、マルチキャストモードはカスタマイズサービスを提供するため加入・脱退フェーズを追加している。加入フェーズでは、システムがユーザー認証及び料金記録を行う。上記サービス提供フェーズについては当業者に周知されているため、詳細な説明は省略とする。
【０００５】
一方、当業者に周知されているとおり、無線資源制御の視点から見れば、ユーザーデータを交換するものであるか、もしくはＲＲＣレイヤーの制御信号を交換するものであるかを問わず、すべて「論理的」なデータ交換チャンネルは、無線ベアラー（ＲＢ）で構成されている。無線ベアラー（ＲＢ）は、ユーザー端では単方向または双方向の論理データ伝送・交換チャンネルを構成し、ネットワーク端でも単方向または双方向の論理データ伝送・交換チャンネルを構成している。したがって、ＭＢＭＳの受信を中止しようとするときは、ユーザー端から受信中止に対応するＲＢを解放すればよい。
【０００６】
ＭＢＭＳの配信時、ネットワーク端は当該ＭＢＭＳに加入しているユーザー数をポーリングで確認するうえ、対応するサービスをｐ−ｔ−ｐ（ポイント・ツー・ポイント）またはｐ−ｔ−ｍ（ポイント・ツー・マルチポイント）方式で配信する。ｐ−ｔ−ｐ方式では、ユーザー端とＲＮＣ間は専用チャンネルでデータを交換する。すなわち、基地局が専用チャンネルを確立し、これを介してデータと制御信号を端末装置に送信する。それと比べてｐ−ｔ−ｍ方式では、コアネットワークがデータと制御信号を同じセルに属する複数のユーザーに同時に送信する。３ＧＰＰが制定した通信プロトコルでは、ＭＢＭＳ関連情報を伝送するため、ＭＣＣＨ（ＭＢＭＳポイント・ツー・マルチポイント制御チャンネル）、ＭＴＣＨ（ＭＢＭＳポイント・ツー・マルチポイントトラフィックチャンネル）、ＭＳＣＨ（ＭＢＭＳポイント・ツー・マルチポイントスケジューリングチャンネル）などの論理チャンネルが定められている。ＭＣＣＨはコアネットワークとＵＥ間の制御信号、例えばMBMS  neighboring  cell  information（ＭＢＭＳ近隣セル情報）、MBMS  radio  bearer  information（ＭＢＭＳ無線ベアラー情報）またはMBMS  service  information（ＭＢＭＳサービス情報）を伝送する。ＭＴＣＨはＭＢＭＳデータをＵＥに伝送する。ＭＳＣＨはＭＢＭＳのスケジューリング情報をＵＥに通報する。ＵＥはスケジューリング情報に基づいてデータが伝送されるたびに受信をはじめ、データ受信状態を常時に保持する必要がない。以上の論理チャンネルはトランスポートチャンネルに属するＦＡＣＨ（フォワードアクセスチャンネル）に対応し、ＦＡＣＨは物理チャンネルに属するＳ−ＣＣＰＣＨ（二次共通制御物理チャンネル）に対応する。現在のサービス状態を把握するため、ＭＣＣＨを介してＭＢＭＳ設定・制御情報を受信する前に、ユーザー端はＳ−ＣＣＰＣＨを介してsystem  information  block  type  5（システム情報ブロックタイプ５）またはsystem  information  block  type  5bis（システム情報ブロックタイプ５ｂｉｓ）を受信し、その中からＭＣＣＨ設定の情報を取得する。
【０００７】
ＵＥとＵＴＲＡＮにＭＢＭＳサービスの最新状態を即時に通報するため、現行のＲＲＣ規格では、ＵＥの加入中マルチキャストサービスやお気に入りのブロードキャストサービスに関する情報、例えば起動済サービスリスト（activated  service  list）とサービスタイプを記録する変数MBMS_ACTIVATED_SERVICESが定められている。ＵＥは、セル内のＭＢＭＳ状態が変わるたび、例えばマルチキャストサービスから脱退するときに変数MBMS_ACTIVATED_SERVICESを更新する。また、現行のＲＲＣ規格によれば、ユーザー端は特定の状況でＭＣＣＨ情報取得（acquisition）プロセスを実行する。ＭＣＣＨ情報取得プロセスとは、基地局がＭＣＣＨを介して関連のサービス情報及び制御情報（例えばMBMS  modified  services  information（ＭＢＭＳ修正済みサービス情報）やMBMS  common  p-t-m  RB  information（ＭＢＭＳ共通ｐ−ｔ−ｍ  ＲＢ情報））を送信し、それによってユーザー端がセル内のＭＢＭＳの現在状態を把握してサービス受信を決めることをいう。3GPP  TS  25.331  V6.8.0  RRC  −  subclause  8.7.2によれば、ＭＣＣＨ情報取得プロセスは下記の状況で行われる。
１．  ＭＢＭＳをサポートするセルを選択または再選択するとき。例えばユーザー端を立ち上げるとき（power  on）。
２．  ＭＢＭＳを制御するセルが変更したとき。例えばアクティブセット更新またはハード・ハンドオーバーによる変更。
３．  他のＲＡＴ（無線アクセステクノロジー）、例えばＧＳＭ（グローバル移動通信システム）を通してＵＴＲＡＮに加入するとき。
４．  ＭＢＭＳ  ｐ−ｔ−ｐ無線ベアラーを解放するとき。例えばＭＢＭＳがｐ−ｔ−ｐモードからｐ−ｔ−ｍモードに変更したとき。
５．  ユーザー端が受信圏外（例えば地下室やエレベーターの中）から受信圏内に戻るとき。
６．  起動済のＭＢＭＳセットが変更された（例えば受信中のサービスセットに新アイテムが追加された）との指令を上位層から受信するとき。
前述のとおり、ＵＥはＭＣＣＨ情報取得プロセスでセル内の使用可能なＭＢＭＳを把握し、加入中サービスの受信を起動させる。前記規格に定められているところでは、ＭＢＭＳをサポートするものであれば、ＵＥはいかなるＲＲＣ状態（例えばアイドリング状態やＣＥＬＬ＿ＤＣＨ（セル専用チャンネル）状態。ＲＲＣ状態については当業者に周知されているため、ここで説明を省略とする）でも情報取得プロセスを実行する。そうなると、ＭＢＭＳを利用しないＵＥまでも情報取得プロセスのためにシステム資源と電力を無駄に費やすこととなる。
【発明の開示】
【発明が解決しようとする課題】
【０００８】
この発明は受信端のシステム資源と電力を節約するため、ｐ−ｔ−ｍ  ＭＢＭＳサービス情報を取得する方法及び装置を提供することを課題とする。
【課題を解決するための手段】
【０００９】
この発明は、無線通信システムの受信端においてポイント・ツー・マルチポイント（ｐ−ｔ−ｍ）ＭＢＭＳ（マルチメディアブロードキャスト・マルチキャストサービス）サービス情報を取得する方法を提供する。該方法は、受信端がＭＣＣＨ（ＭＢＭＳ制御チャンネル）情報取得プロセスを実行する前に、該受信端でのｐ−ｔ−ｍ  ＭＢＭＳ起動状態を判断し、受信端においてｐ−ｔ−ｍ  ＭＢＭＳが少なくとも１つ起動されていると確認した場合に、受信端で情報取得プロセスを実行するステップからなる。
【００１０】
この発明は更に、ｐ−ｔ−ｍ  ＭＢＭＳサービス情報を適時に取得する、無線通信システムに用いられる受信装置を提供する。該受信装置は、受信装置の機能を実現させる制御回路と、制御回路の中に設けられ、プログラムコードを実行して制御回路を制御する中央処理装置（ＣＰＵ）と、ＣＰＵに結合され、プログラムコードを保存するための保存メモリーとを含む。該プログラムコードは、受信端がＭＣＣＨ情報取得プロセスを実行する前に、該受信端でのｐ−ｔ−ｍ  ＭＢＭＳ起動状態を判断し、受信端においてｐ−ｔ−ｍ  ＭＢＭＳが少なくとも１つ起動されていると確認した場合に、受信端で情報取得プロセスを実行するステップを含む。
【発明の効果】
【００１１】
従来の技術によるＵＥはＭＢＭＳをサポートするものであれば、いかなるＲＲＣ状態においてもＭＣＣＨ情報取得プロセスを実行する。そのため、サービスを利用しない受信端までも情報取得プロセスのためにシステム資源と電力を費やさなければならない。それと比べ、本発明は受信端がＭＣＣＨ情報取得プロセスを実行する前に、まずｐ−ｔ−ｍ  ＭＢＭＳが起動されているかどうかを判断し、起動されている場合にのみ情報取得プロセスを実行する。そうすると、ｐ−ｔ−ｍ  ＭＢＭＳを利用しない受信端は情報取得プロセスを実行する必要がなくなり、システム資源と電力は節約される。
【発明を実施するための最良の形態】
【００１２】
かかる方法及び装置の特徴を詳述するために、具体的な実施例を挙げ、図示を参照して以下に説明する。
【００１３】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００では、ＣＰＵ１０８は制御回路１０６の中に設けられ、保存装置１１０はＣＰＵ１０８に結合される。制御回路１０６はＣＰＵ１０８で保存装置１１０に保存されるプログラムコード１１２を実行し、これで制御回路１０６の動作を制御し、制御回路１０６の制御下で無線通信装置１００を動作させる。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルの構造から見れば、トランシーバー１１４はレイヤー１の一部とみなされ、制御回路１０６はレイヤー２とレイヤー３の機能を実現させる。
【００１４】
図２を参照する。図２は図１に示すプログラムコード１１２を表す説明図である。アプリケーションレイヤー２００と、レイヤー３（２０２）と、レイヤー２（２０６）からなるプログラムコード１１２は、レイヤー１（２１８）と接続されている。信号を発信するとき、レイヤー２（２０６）はレイヤー３（２０２）から出力されたデータに基づいて複数のＳＤＵ（サービスデータユニット）２０８を生成し、これをバッファー２１２に保存する。その後、レイヤー２（２０６）は、バッファー２１２に保存されるＳＤＵ２０８に基づいて複数のＰＤＵ（プロトコルデータユニット）２１４を生成し、これをレイヤー１（２１８）を介して送信先に出力する。それに対して、無線信号を受信するときは、レイヤー１（２１８）を介して信号を受信し、受信した信号をＰＤＵ２１４形式でレイヤー２（２０６）に出力する。その後、レイヤー２（２０６）はこのＰＤＵ２１４をＳＤＵ２０８に復元してバッファー２１２に保存する。最後に、レイヤー２（２０６）はバッファー２１２に保存されるＳＤＵ２０８をレイヤー３（２０２）に送信する。
【００１５】
無線通信装置１００はＭＢＭＳや関連のサービス情報、制御情報を受信する装置である。ＭＢＭＳを適時に取得し、受信端のシステム資源と電力を節約するため、本発明は下記の方法を提供する。同方法はプログラムコード１１２のアルゴリズムとして設定できる。
【００１６】
図３を参照する。図３はこの発明による方法のフローチャート３０である。下記方法は、無線通信システムの受信端がｐ−ｔ−ｍ  ＭＢＭＳサービス情報を取得するために利用される。
ステップ３００：開始。
【００１７】
ステップ３０２：受信端がＭＣＣＨ情報取得プロセスを実行する前に、該受信端においてｐ−ｔ−ｍ  ＭＢＭＳが起動されているかどうかを判断する。「はい」であればステップ３０４に進み、「いいえ」であればステップ３０６に進む。
【００１８】
ステップ３０４：受信端においてｐ−ｔ−ｍ  ＭＢＭＳが少なくとも１つ起動されている場合に、情報取得プロセスを実行する。ステップ３０８に進む。
【００１９】
ステップ３０６：受信端においてｐ−ｔ−ｍ  ＭＢＭＳが起動されていない場合、情報取得プロセスを実行しない。ステップ３０８に進む。
【００２０】
ステップ３０８：終了。
上記によれば、本発明による受信端は情報取得プロセスを行う前、まずｐ−ｔ−ｍ  ＭＢＭＳが起動されているかどうかを判断し、ＭＢＭＳが起動されている場合にのみ情報取得プロセスを実行する。さもなければ情報取得プロセスを実行しない。したがって、ＭＢＭＳを利用しないＵＥまでもシステム資源と電力を費やして無益の情報取得プロセスを実行することがなくなる。第三世代移動通信システムでは、ＵＥはｐ−ｔ−ｍ  ＭＢＭＳを起動させるため、ＭＢＭＳブロードキャスト／マルチキャストサービス起動プロセスを実行する。同起動プロセスの完成後、ｐ−ｔ−ｍ  ＭＢＭＳ情報（例えばサービス名やサービスタイプ）をＵＥの変数MBMS_ACTIVATED_SERVICESに保存する。3GPP  TS  25.331  V6.8.0  RRCによれば、ＵＥは前掲６種類の状況が発生するとすぐＭＣＣＨ情報取得プロセスを実行する。本発明によるＵＥはそれと異なって、前掲状況のいずれかが発生した場合、まず変数MBMS_ACTIVATED_SERVICESを読み込み、ｐ−ｔ−ｍ  ＭＢＭＳが起動されているかどうかを判断し、ｐ−ｔ−ｍ  ＭＢＭＳが少なくとも１つ起動されている場合にのみ情報取得プロセスを実行する。
【００２１】
例えば、前記図１に示す無線通信装置１００をＵＥとし、ＵＴＲＡＮを、コアネットワークと協力してｐ−ｔ−ｍ  ＭＢＭＳを受信端に配信するサービス配信端とし、更に、ＭＢＭＳ配信中のＵＴＲＡＮの圏内にあるＵＥが二つ（ＵＥ１、ＵＥ２）あるとする。ＵＥ１とＵＥ２を受信圏内から受信圏外にいったん移動させ、また圏内に戻す場合（例えばエレベーターで地下室と地上階を往復する）、つまり前掲状況５（圏外から圏内に戻る）に該当する場合では、もし圏内から離れる前にＵＥ２だけがｐ−ｔ−ｍ  ＭＢＭＳを起動し、ＵＥ１はｐ−ｔ−ｍ  ＭＢＭＳを起動していなかった、あるいはＵＥ２だけがＭＢＭＳマルチキャストサービス起動プロセスを実行し、ＭＢＭＳ情報（例えばサービス名）を変数MBMS_ACTIVATED_SERVICESに保存したとすれば、本発明による方法では、ＵＥ１とＵＥ２が受信圏内に戻った後、ｐ−ｔ−ｍ  ＭＢＭＳを起動していたＵＥ２のみがＭＣＣＨ情報取得プロセスを実行し、ＵＴＲＡＮからｐ−ｔ−ｍ  ＭＢＭＳの関連情報（例えばMBMS  modified  services  information（ＭＢＭＳ修正済みサービス情報）やMBMS  common  p-t-m  RB  information（ＭＢＭＳ共通ｐ−ｔ−ｍ  ＲＢ情報））を受信する。それに反して、ＵＥ１はｐ−ｔ−ｍ  ＭＢＭＳを起動していなかったため、情報取得プロセスを実行する必要はない。したがって、ＭＢＭＳを利用しないＵＥ１は無益の情報取得プロセスのためにシステム資源と電力を費やすことがなくなる。上記ＭＢＭＳマルチキャストサービス起動プロセスについては3GPP  TS  23.246  V6.7.0  MBMS  architecture  and  functional  descriptionを参照し、ＭＣＣＨ情報取得プロセスについては3GPP  TS  25.331  V6.8.0  RRC  −  subclause  8.7.2を参照する。
【００２２】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２３】
この発明は従来の技術に条件を追加するのみであり、当然実施可能である。
【図面の簡単な説明】
【００２４】
【図１】無線通信システムの無線通信装置のブロック図である。
【図２】図１に示すプログラムコードを表す説明図である。
【図３】この発明による方法のフローチャートである。
【符号の説明】
【００２５】
１００  無線通信装置
１０２  入力装置
１０４  出力装置
１０６  制御回路
１０８  ＣＰＵ
１１０  保存装置
１１２  プログラムコード
１１４  トランシーバー
２００  アプリケーションレイヤー
２０２  レイヤー３
２０６  レイヤー２
２１２  バッファー
２１４  ＳＤＵ
２１８  レイヤー１
【図１】
2007251945.tif 000003
【図２】
2007251945.tif 000004
【図３】
2007251945.tif 000005